(57)【要約】【課題】省スペース化を実現できると共に、簡単な操作で吸引圧の切替えを可能にできる排液処理器を提供する。【解決手段】本発明の排液処理器は、吸引源からの負圧により生体から吸引した排液を収容し、廃棄するための排液処理器において、前記排液を吸引する吸引チューブに繋がる吸引口と、前記吸引源に繋がり、第１の負圧が付与される第１の排気口と、前記吸引源に繋がり、第２の負圧が付与される第２の排気口と、前記排液を内部空間に収容する廃棄容器と、前記第１の排気口と前記廃棄容器の内部空間とを連通させる状態と、前記第２の排気口と前記廃棄容器の内部空間とを連通させる状態との間で、連通状態を切替え可能な切替え部材と、を備えることを特徴とするものである。【選択図】図１
2016049234.tif 000002
【特許請求の範囲】
【請求項１】
吸引源からの負圧により生体から吸引した排液を収容し、廃棄するための排液処理器において、
前記排液を吸引する吸引チューブに繋がる吸引口と、
前記吸引源に繋がり、第１の負圧が付与される第１の排気口と、
前記吸引源に繋がり、第２の負圧が付与される第２の排気口と、
前記排液を内部空間に収容する廃棄容器と、
前記第１の排気口と前記廃棄容器の内部空間とを連通させる状態と、前記第２の排気口と前記廃棄容器の内部空間とを連通させる状態との間で、連通状態を切替え可能な切替え部材と、を備えることを特徴とする排液処理器。
【請求項２】
前記切替え部材は、前記吸引口、前記第１の排気口及び前記第２の排気口を備えると共に前記廃棄容器に取り付けられるコネクタである、請求項１に記載の排液処理器。
【請求項３】
前記廃棄容器は、前記吸引口に繋がる吸引側連通口と、前記第１の排気口及び前記第２の排気口に繋がる排気側連通口とを備え、
前記コネクタは、前記廃棄容器の吸引側連通口に挿入される吸引側挿入管を備え、
前記コネクタを前記廃棄容器に対して前記吸引側挿入管の軸心の周りに回動させることで、前記第１の排気口と前記排気側連通口とを連通させる状態と、前記第２の排気口と前記排気側連通口とを連通させる状態との間で、連通状態を切替え可能である、請求項２に記載の排液処理器。
【請求項４】
前記吸引側連通口には、前記排液を前記廃棄容器の内部空間に向って通過させる一方、前記排液が前記廃棄容器の外部に向って通過することを阻止する開閉体が配置されている、請求項３に記載の排液処理器。
【請求項５】
前記排気側連通口には、前記排液の通過を阻止するフィルタが配置されている、請求項３又は４に記載の排液処理器。
【請求項６】
前記排気側連通口は、前記吸引側連通口を取り囲むと共に下方に開口した環状溝と、該環状溝の上部と前記第１の排気口とを連通させる第１の接続孔と、前記環状溝の上部と前記第２の排気口とを連通させる第２の接続孔と、を備え、
前記フィルタは、前記環状溝に配置された環状のフィルタである、請求項５に記載の排液処理器。
【請求項７】
前記コネクタと前記廃棄容器のうちの一方に位置決め凸部を設け、
前記コネクタと前記廃棄容器のうちの他方に、前記第１の排気口と前記排気側連通口とが連通する位置で前記位置決め凸部と係合する第１の位置決め凹部を設けると共に、前記第２の排気口と前記排気側連通口とが連通する位置で前記位置決め凸部と係合する第２の位置決め凹部を設けた、請求項３〜６のいずれか一項に記載の排液処理器。
【請求項８】
前記廃棄容器は、前記コネクタに着脱可能である、請求項２〜７のいずれか一項に記載の排液処理器。
【発明の詳細な説明】
【技術分野】
【０００１】
本発明は、吸引源からの負圧により生体から吸引した排液を収容し、廃棄するための排液処理器に関し、特に、省スペース化を実現できると共に、簡単な操作で吸引圧の切替えを可能にしようとするものである。
【背景技術】
【０００２】
医療現場において、吸引源からの負圧により患者などの生体から吸引した痰や誤嚥物、或いは膿汁、分泌物や体液などの排液を収容し、廃棄するための排液処理器が知られている（例えば、特許文献１参照）。このような排液処理器を用いて、異なる圧力での吸引を必要とする複数の排液発生源（例えば、生体の喉と腹部）に対応する場合には、複数の排液処理器を用意し、各排液処理器に対してそれぞれ適切な大きさの負圧を付与していた。
【先行技術文献】
【特許文献】
【０００３】
【特許文献１】特許第４６２７３５３号公報
【発明の概要】
【発明が解決しようとする課題】
【０００４】
しかしながら、特許文献１に記載されるような従来の排液処理器では、前述したように、異なる圧力での吸引を必要とする複数の排液発生源に対応する場合には、複数の排液処理器を用いる必要があり、省スペース化が望まれていた。
【０００５】
本発明は、前記の現状に鑑み開発されたもので、省スペース化を実現できると共に、簡単な操作で吸引圧の切替えを可能にできる排液処理器を提供することを目的とする。
【課題を解決するための手段】
【０００６】
本発明の排液処理器は、吸引源からの負圧により生体から吸引した排液を収容し、廃棄するための排液処理器において、前記排液を吸引する吸引チューブに繋がる吸引口と、前記吸引源に繋がり、第１の負圧が付与される第１の排気口と、前記吸引源に繋がり、第２の負圧が付与される第２の排気口と、前記排液を内部空間に収容する廃棄容器と、前記第１の排気口と前記廃棄容器の内部空間とを連通させる状態と、前記第２の排気口と前記廃棄容器の内部空間とを連通させる状態との間で、連通状態を切替え可能な切替え部材と、を備えることを特徴とすることを特徴とするものである。
【０００７】
ここで、本発明の排液処理器は、前記切替え部材が、前記吸引口、前記第１の排気口及び前記第２の排気口を備えると共に前記廃棄容器に取り付けられるコネクタであることが好ましい。
【０００８】
また、本発明の排液処理器は、前記廃棄容器が、前記吸引口に繋がる吸引側連通口と、前記第１の排気口及び前記第２の排気口に繋がる排気側連通口とを備え、前記コネクタが、前記廃棄容器の吸引側連通口に挿入される吸引側挿入管を備え、前記コネクタを前記廃棄容器に対して前記吸引側挿入管の軸心の周りに回動させることで、前記第１の排気口と前記排気側連通口とを連通させる状態と、前記第２の排気口と前記排気側連通口とを連通させる状態との間で、連通状態を切替え可能であることが好ましい。
【０００９】
また、本発明の排液処理器は、前記吸引側連通口には、前記排液を前記廃棄容器の内部空間に向って通過させる一方、前記排液が前記廃棄容器の外部に向って通過することを阻止する開閉体が配置されていることが好ましい。
【００１０】
また、本発明の排液処理器は、前記排気側連通口には、前記排液の通過を阻止するフィルタが配置されていることが好ましい。
【００１１】
また、本発明の排液処理器は、前記排気側連通口が、前記吸引側連通口を取り囲むと共に下方に開口した環状溝と、該環状溝の上部と前記第１の排気口とを連通させる第１の接続孔と、前記環状溝の上部と前記第２の排気口とを連通させる第２の接続孔と、を備え、前記フィルタが、前記環状溝に配置された環状のフィルタであることが好ましい。
【００１２】
また、本発明の排液処理器は、前記コネクタと前記廃棄容器のうちの一方に位置決め凸部を設け、前記コネクタと前記廃棄容器のうちの他方に、前記第１の排気口と前記排気側連通口とが連通する位置で前記位置決め凸部と係合する第１の位置決め凹部を設けると共に、前記第２の排気口と前記排気側連通口とが連通する位置で前記位置決め凸部と係合する第２の位置決め凹部を設けたことが好ましい。
【００１３】
さらに、本発明の排液処理器は、前記廃棄容器が前記コネクタに着脱可能であることが好ましい。
【発明の効果】
【００１４】
本発明によれば、異なる圧力での吸引を必要とする複数の排液発生源に単一の排液処理器で対応する場合でも、切替え部材を用いて、第１の排気口と廃棄容器の内部空間とを連通させる状態と、第２の排気口と廃棄容器の内部空間とを連通させる状態との間で、連通状態を切替えることができる。
【００１５】
したがって、本発明によれば、省スペース化を実現できると共に、簡単な操作で吸引圧の切替えを可能にできる排液処理器を提供することができる。
【図面の簡単な説明】
【００１６】
【図１】本発明の一実施形態に係る排液処理器を備える排液処理システムを示す側面図である。
【図２】図１の排液処理器を示す斜視図であり、廃棄容器をコネクタから取り外した状態を示す。
【図３】図１の排液処理器を示す縦断面図である。
【発明を実施するための形態】
【００１７】
以下、図１〜図３を参照して、本発明の一実施形態に係る排液処理器について詳細に例示説明する。
なお、本明細書において、上下方向とは、排液処理器の使用時における鉛直方向を意味し、下方とは重力が向う鉛直方向下方を意味し、上方とはその反対方向を意味するものとする。
【００１８】
図１に示すように、本実施形態に係る排液処理器１は、患者などの生体から痰や誤嚥物、或いは膿汁、分泌物や体液などの排液を吸引する吸引チューブ２と、吸引圧力調節器３と、第１の排気チューブ４ａと、第２の排気チューブ４ｂと、吊下げ具５と共に用いられ、これらで排液処理システム６を構成している。排液処理システム６は、例えばスタンド式の保持具が備えるハウジングＨ内に収容されている。吸引圧力調節器３は、医療施設に備わる吸引源に接続され、該吸引源からの負圧を本例では第１分岐口３ａと第２分岐口３ｂの２系統に分配している。これら２系統の負圧は、異なる圧力での吸引を必要とする複数の排液発生源（例えば、生体の喉と腹部）に対応するため、インジケータとダイヤルを用いることで、独立して調節できるようになっている。
【００１９】
排液処理器１は、切替え部材としてのコネクタ７と廃棄容器８とを備えている。コネクタ７は、吸引チューブ２に繋がる吸引口９を備えている。具体的には、吸引チューブ２の一端は、前記した複数の排液発生源のいずれかに必要に応じて配置され、吸引チューブ２の他端は、吸引口９に接続されている。また、コネクタ７は、吸引源に繋がり、第１の負圧が付与される第１の排気口１０ａを備えている。具体的には、第１の排気口１０ａには、第１の排気チューブ４ａの一端が接続され、第１の排気チューブ４ａの他端は吸引圧力調節器３の第１分岐口３ａに接続されている。さらに、コネクタ７は、吸引源に繋がり、第２の負圧が付与される第２の排気口１０ｂも備えている。具体的には、第２の排気口１０ｂには、第２の排気チューブ３ｂの一端が接続され、第２の排気チューブ３ｂの他端は吸引圧力調節器３の第２分岐口３ｂに接続されている。
【００２０】
廃棄容器８は、有底筒状の胴部１１を備え、胴部１１の上端には括れ部１２を介して天板部１３が設けられている。排液処理器１は、吊下げ具５によって、保持具のハウジングＨの壁から吊下げた状態で保持されている。なお、排液処理器１は、ハウジングＨに収容されておらず、所定の接続具に固定され、露出していてもよい。吊下げ具５は、本例では、排液処理器１の括れ部１２を挿入可能な切欠きを有し、壁から水平に突出する板片として構成されている。このように、排液処理器１を吊下げた状態で保持する構成とすることにより、必要に応じて所望の容量の廃棄容器８を、吸引チューブ２や排気チューブ４ａ，４ｂの長さを変更する必要なしに設置することができる。
【００２１】
図２及び図３に示すように、廃棄容器８は、コネクタ７に着脱可能に設けられている。廃棄容器８は、本実施形態では、例えば合成樹脂の射出成形により一体成形された栓体８ａと、例えば合成樹脂のブロー成形により袋状に形成され、栓体８ａに熱溶着された袋体８ｂとによって構成されている。すなわち、栓体８ａと袋体８ｂとにより、前述の胴部１１、括れ部１２及び天板部１３が形成されている。廃棄容器８は、未使用時の収納性を考慮し、折り畳み可能な柔軟性を有する袋状容器とすることが好ましいが、そのような柔軟性を有さない剛性容器とすることも可能である。
【００２２】
また、廃棄容器８の内部には、必要に応じて、吸水材を配置したり、殺菌、消毒のための薬剤（例えば、次亜塩素酸塩や二酸化塩素を発生する薬剤など）を配置したりすることができる。なお、吸水材や殺菌、消毒のための薬剤を設ける場合には、水溶性の膜で覆われた吸水材を配置し、吸引された排液に触れることで膜が溶解して吸水材が露出するようにしてもよい。
【００２３】
栓体８ａは、前記した円盤状の天板部１３と、該天板部１３に垂設されると共に天板部１３よりも小径に形成され、前述した括れ部１２の一部を構成する円筒状の小径部１４とを備えている。天板部１３の外周面には、雄ねじＳが形成されており、排液を廃棄するために廃棄容器８をコネクタ７から取外した際には、雌ねじを有するキャップ（図示省略）を該天板部１３に装着し、液漏れを防止した状態で廃棄容器８を運搬できるようになっている。栓体８ａの中央には、栓体８ａの軸心Ｏに沿って上下方向に栓体８ａを貫通し、コネクタ７の吸引口９に繋がる吸引側連通口１５を備えている。
【００２４】
また、栓体８ａは、第１の排気口１０ａ及び第２の排気口１０ｂに繋がる排気側連通口１６を備えている。該排気側連通口１６は、吸引側連通口１５を取り囲むと共に下方に開口した環状溝１７と、該環状溝１７の上部と第１の排気口１０ａとを連通させる第１の接続孔１８ａと、環状溝１７の上部と第２の排気口１０ｂとを連通させる第２の接続孔１８ｂと、を備えている。本実施形態では、第１の接続孔１８ａと第２の接続孔１８ｂとは、軸心Ｏを回転中心として、互いに対して９０°ずれた位置に配置されている。第１の接続孔１８ａの上端外周縁と第２の接続孔１８ｂの上端外周縁とには、それぞれ、例えばゴム製のＯリング１９ａ，１９ｂが設けられ、コネクタ７との間の気密性を確保している。
【００２５】
コネクタ７は、廃棄容器８の天板部１３に上方から重なる天壁２０と、天壁２０の中央に立設された吸引口９と、天壁２０から垂下し、廃棄容器８の吸引側連通口１５に挿入される吸引側挿入管２１とを備えている。また、コネクタ７は、天壁２０からＬ字状に立ち上がる第１の排気口１０ａと、天壁１９からＬ字状に立ち上がる第２の排気口１０ｂとを備えている。本実施形態では、第１の排気口１０ａの下端と第２の排気口１０ｂの下端とは、軸心Ｏを回転中心として、互いに対して１８０°ずれた位置に配置されている。吸引側挿入管２１の外周面には、例えばゴム製のＯリング２２が設けられ、吸引側挿入管２１と吸引側連通口１５の間の気密性を確保している。
【００２６】
なお、コネクタ７は、例えば合成樹脂による射出成形等によって、天壁２０、吸引口９、吸引側挿入管２１、第１の排気口１０ａ及び第２の排気口１０ｂを一体に成形することができるが、複数の部材を一体化することで構成してもよい。なお、コネクタ７は、合成樹脂以外の素材によって構成してもよい。
【００２７】
コネクタ７は、前述した構成を有することで、第１の排気口１０ａと廃棄容器８の内部空間とを連通させる状態と、第２の排気口１０ｂと廃棄容器８の内部空間とを連通させる状態との間で、連通状態を切替え可能な切替え部材としての機能を発揮することができる。すなわち、コネクタ７を廃棄容器８に対して吸引側挿入管２１の軸心Ｏの周りに９０°回動させることで、第１の排気口１０ａと排気側連通口１６とを第１の接続孔１８ａを介して連通させる状態と、第２の排気口１０ｂと排気側連通口１６とを第２の接続孔１８ｂを介して連通させる状態との間で、連通状態を切替え可能である。
【００２８】
また、本実施形態では、コネクタ７と廃棄容器８のうちの一方には、位置決め凸部を設け、コネクタ７と廃棄容器８のうちの他方には、第１の排気口１０ａと排気側連通口１６とが連通する位置で前記位置決め凸部と係合する第１の位置決め凹部を設けると共に、第２の排気口１０ｂと排気側連通口１６とが連通する位置で前記位置決め凸部と係合する第２の位置決め凹部を設けている。より具体的には、図示したように、コネクタ７に前記位置決め凸部としての位置決め突条２３を設け、廃棄容器８に、前記第１の位置決め凹部としての第１の位置決め溝２４ａと、前記第２の位置決め凹部としての第２の位置決め溝２４ｂとを設けている。なお、第１の位置決め溝２４ａと第２の位置決め溝２４ｂとは、第１の接続孔１８ａと第２の接続孔１８ｂの位置関係に対応し、軸心Ｏを回転中心として、互いに対して９０°ずれた位置に配置されている。
【００２９】
また、廃棄容器８の栓体８ａに形成された吸引側連通口１５には、排液を廃棄容器８の内部空間に向って通過させる一方、排液が廃棄容器８の外部に向って通過することを阻止する開閉体としての逆止弁２５が配置されている。逆止弁２５は、本実施形態ではダックビル弁を用いているが、これに代えて、弁体基部と弁体とが１つの連結片によって連結された１点弁や、その他の構成を有するものを用いることもできる。本実施形態では、開閉体（逆止弁２５）は、吸引側挿入管２１の先端に接するように配置されている。このような構成に代えて、開閉体（逆止弁２５）は、吸引側挿入管２１の先端に貫かれるように配置されてもよい。また、開閉体（逆止弁２５）は、後述するフィルタ２６の排液吸込口（本例では、排気側連通口１６の下端）よりも上方に配置されている。
【００３０】
さらに、排気側連通口１６には、排液の通過を阻止するフィルタ２６が配置されている。より具体的には、フィルタ２６は、環状溝１７に配置された環状のフィルタ２６である。フィルタ２６は、例えば、空気を通過させる一方で液体の通過は阻止する不織布で構成することができる。あるいは、メンブランフィルタや、排液との接触により膨張して通気孔を塞ぐ吸水性材料（例えば、吸水性樹脂をコートした不織布）でフィルタ２６を構成してもよく、その他の構成とすることもできる。本実施形態では、環状溝１７は上下方向に延びる環状の流路を形成しており、フィルタ２６は、環状溝１７の下端を除く、上端部から中間部に亘る領域内に収まるように配置されている。
【００３１】
かかる構成になる本実施形態係る排液処理器１によれば、異なる圧力での吸引を必要とする複数の排液発生源に単一の排液処理器１で対応する場合でも、切替え部材としてのコネクタ７を用いて、第１の排気口１０ａと廃棄容器８の内部空間とを連通させる状態と、第２の排気口１０ｂと廃棄容器８の内部空間とを連通させる状態との間で、連通状態を切替えることができる。したがって、排液処理器１によれば、省スペース化を実現できると共に、簡単な操作で吸引圧の切替えを可能にすることができる。
【００３２】
また、排液処理器１によれば、コネクタ７を廃棄容器８に対して吸引側挿入管２１の軸心Ｏの周りに回動させることで連通状態を切替えられるため、切替え操作を特に容易なものとすることができる。
【００３３】
また、排液処理器１によれば、コネクタ７と廃棄容器８のうちの一方には、位置決め凸部を設け、コネクタ７と廃棄容器８のうちの他方には、第１の排気口１０ａと排気側連通口１６とが連通する位置で前記位置決め凸部と係合する第１の位置決め凹部を設けると共に、第２の排気口１０ｂと排気側連通口１６とが連通する位置で前記位置決め凸部と係合する第２の位置決め凹部を設けたので、連通状態の切替え操作をより確実なものとすることができる。
【００３４】
また、排液処理器１によれば、吸引側連通口１５に開閉体（逆止弁２５）を配置したことで、排液を廃棄するため、廃棄容器８をコネクタ７から取り外して運搬する際に、排液が吸引側連通口１５から飛び出すことを防止することができる。また、誤って廃棄容器８を落下させた時にも排液が吸引側連通口１５から飛び出すことを防止することができる。また、開閉体（逆止弁２５）は、吸引側挿入管２１の先端に接し、又は吸引側挿入管２１の先端に貫かれるように配置されているので、排液を廃棄するために廃棄容器８をコネクタ７から取り外したときに、排液が開閉体（逆止弁２５）の上面に残り難くなり、排液飛散のリスクを低減することができる。
【００３５】
また、排液処理器１によれば、排気側連通口１６には、排液の通過を阻止するフィルタ２６が配置されているため、生体から吸引した排液が廃棄容器８内に貯まり、フィルタ２６の排液吸込口（排気側連通口１６の下端）に達すると、吸引力の伝達をフィルタ２６で遮断し、生体からの排液の吸引を停止させることができる。また、開閉体（逆止弁２５）はフィルタ２６の排液吸込口よりも上方に配置されているため、生体から吸引した排液が廃棄容器８内に貯まり開閉体（逆止弁２５）に達する前に、フィルタ２６によって排液の吸引を停止させることができる。
【００３６】
また、排液処理器１によれば、排気側連通口１６を環状溝１７と第１の接続孔１８ａと第２の接続孔１８ｂとで構成し、環状溝１７内に環状のフィルタ２６を配置するようにしたので、単一のフィルタ２６で複数の排気口１０ａ，１０ｂに対応でき、構造を簡素化することができる。
【００３７】
また、排液処理器１によれば、環状溝１７は上下方向に延びる流路を形成しており、フィルタ２６は、環状溝１７の下端を除く、上端部から中間部に亘る領域内に収まるように配置されているので、吸引側連通口１５から流入する排液が、例えば廃棄容器８内部の壁面を伝って排気側連通口１６に向って流れた場合でも、該排液がフィルタ２６に接触することが防止される。すなわち、フィルタ２６は、排気側連通口１６の下端には配置されていないため、吸引側連通口１５から流入する排液との意図しない接触が防止される。
【００３８】
さらに、排液処理器１によれば、吸引源からの負圧により生体から吸引し、廃棄容器８の内部空間に収容した排液を廃棄する際は、廃棄容器８をコネクタ７から取外し、廃棄容器８ごと廃棄すると共に、該廃棄容器８に代えて未使用の廃棄容器８をコネクタ７に取付けるだけで作業を完了させることができる。また、その際、吸引チューブ２と、排気チューブ４ａ，４ｂとをコネクタ７から切り離す必要がない。したがって、本実施形態に係る排液処理器１によれば、排液を廃棄する際の取換え作業を容易化することができる。
【００３９】
前述したところは、本発明の一実施形態を示したにすぎず、特許請求の範囲において、種々の変更を加えることができる。例えば、同一の生体が複数の排液発生源を有している必要はなく、或る排液発生源を有する生体と他の排液発生源を有する生体とが異なっていてもよい。また、吸引圧力調節器３は、吸引源からの負圧を第１分岐口３ａと第２分岐口３ｂの２系統の負圧に分配するものとして説明したが、必ずしもこのような構成に限定されるものではなく、例えば、３つ以上の系統に分配するように構成し、排液処理器１がこれに対応して３つ以上の排気口を備える構成とすることも可能である。さらに、第１の排気口１０ａと第２の排気口１０ｂのそれぞれが、吸引圧力調節器３を介して吸引源に接続されているが、このような構成に代え、吸引源を吸引圧の異なる別々のポンプで構成し、該ポンプにそれぞれ、第１の排気口１０ａと第２の排気口１０ｂを接続するようにしてもよい。
【００４０】
さらに、コネクタ７は、廃棄容器８に対して回動することで、排気口１０ａ，１０ｂと廃棄容器８の内部空間との連通状態を切替えるものとして説明したが、必ずしもこのような構成に限定されるものではなく、例えば、第１の排気口１０ａと第１の接続孔１８ａが整列すると同時に第２の排気口１０ｂと第２の接続孔１８ｂも整列するように構成し、コネクタ７と廃棄容器８の天板部１３との間には、吸引側挿入管２１に貫かれると共に該吸引側挿入管２１の軸心Ｏの周りに回動可能な切替え部材としての環状部材（図示省略）を設け、該環状部材の外周縁に突設された把持部を操作して該環状部材を回動させることで、該環状部材が備える切り欠きを通じて、第１の排気口１０ａと第２の排気口１０ｂとを択一的に廃棄容器８の内部空間に連通させる構成としてもよい。
【符号の説明】
【００４１】
１  排液処理器
２  吸引チューブ
３  吸引圧力調節器
３ａ  第１分岐口
３ｂ  第２分岐口
４ａ  第１の排気チューブ
４ｂ  第２の排気チューブ
５  吊下げ具
６  排液処理システム
７  コネクタ（切替え部材）
８  廃棄容器
８ａ  栓体
８ｂ  袋体
９  吸引口
１０ａ  第１の排気口
１０ｂ  第２の排気口
１１  胴部
１２  括れ部
１３  天板部
１４  小径部
１５  吸引側連通口
１６  排気側連通口
１７  環状溝
１８ａ  第１の接続孔
１８ｂ  第２の接続孔
１９ａ，１９ｂ  Ｏリング
２０  天壁
２１  吸引側挿入管
２２  Ｏリング
２３  位置決め突条（位置決め凸部）
２４ａ  第１の位置決め溝（第１の位置決め凹部）
２４ｂ  第２の位置決め溝（第２の位置決め凹部）
２５  逆止弁（開閉体）
２６  フィルタ
Ｈ  ハウジング
Ｓ  雄ねじ
Ｏ  軸心
【図１】
2016049234.tif 000003
【図２】
2016049234.tif 000004
【図３】
2016049234.tif 000005